(57)【特許請求の範囲】
【請求項１】
省エネルギーモードを開始するための方法であって、
ゲートウエイ装置との通信パラメータを取得する工程であって、前記通信パラメータが通信品質パラメータと既定のアイドルタイムとを含む工程と、
前記既定のアイドルタイムに従って現在の実行状態を決定する工程と、
前記現在の実行状態が休止状態ではないと決定された場合に、前記通信品質パラメータが既定の閾値未満かどうか判定し、前記通信品質パラメータが既定の閾値未満である場合に、前記省エネルギーモードを開始する工程と、
を備える方法。
【請求項２】
請求項１に記載の方法であって、
前記既定のアイドルタイムに従って現在の実行状態を決定する工程は、
クロックにより示される現在の時点を取得する工程と、
前記現在の時点が前記既定のアイドルタイムに属するという決定に応じて前記現在の実行状態が前記休止状態であることを決定する工程と、
を含む方法。
【請求項３】
請求項１又は２に記載の方法であって、さらに、
ユーザの操作挙動に従って生成される操作履歴記録内の少なくとも１つの操作時間を取得する工程と、
前記少なくとも１つの操作時間に従って前記既定のアイドルタイムを決定する工程と、
を備える方法。
【請求項４】
請求項１乃至３のいずれか１項に記載の方法であって、
前記省エネルギーモードを開始する工程は、
前記ゲートウエイ装置との通信頻度を削減する工程と、
既に開始された少なくとも１つの対象アプリケーションを終了させる工程と、
の少なくとも１つを含む方法。
【請求項５】
請求項４に記載の方法であって、
前記既に開始された少なくとも１つの対象アプリケーションを終了させる工程は、
前記既に開始された各アプリケーションの優先度に従って既定の優先度より低い優先度を有する前記少なくとも１つの対象アプリケーションを決定する工程と、
前記少なくとも１つの対象アプリケーションを終了させる工程と、
を含む方法。
【請求項６】
省エネルギーモードを開始するための装置であって、
ゲートウエイ装置との通信パラメータを取得するように構成され、前記通信パラメータが通信品質パラメータと既定のアイドルタイムとを含む取得モジュールと、
前記取得モジュールにより取得された前記既定のアイドルタイムに従って現在の実行状態を決定するように構成されている状態決定モジュールと、
前記状態決定モジュールが前記現在の実行状態は休止状態ではないと決定された場合に、前記通信品質パラメータが既定の閾値未満かどうか判定し、前記通信品質パラメータが既定の閾値未満である場合に、前記省エネルギーモードを開始するように構成されている開始モジュールと、
を備える装置。
【請求項７】
請求項６に記載の装置であって、
前記状態決定モジュールは、さらに、クロックにより示される現在の時点を取得し、前記現在の時点が前記既定のアイドルタイムに属するという決定に応じて前記現在の実行状態が前記休止状態であることを決定するように構成されている装置。
【請求項８】
請求項６又は７に記載の装置であって、さらに、
操作履歴記録内で少なくとも１つの操作時間を取得するように構成され、前記操作履歴記録は、ユーザの操作挙動に従って生成される操作時間取得モジュールと、
前記操作時間取得モジュールにより取得された前記少なくとも１つの操作時間に従って前記既定のアイドルタイムを決定するように構成されている期間決定モジュールと、
を備える装置。
【請求項９】
請求項６乃至８のいずれか１項に記載の装置であって、
前記開始モジュールは、
前記ゲートウエイ装置との通信頻度を削減するように構成されている頻度調整ユニットと、
既に開始された少なくとも１つの対象アプリケーションを終了させるように構成されているプログラム終了ユニットと、
の少なくとも１つを含む装置。
【請求項１０】
請求項９に記載の装置であって、
前記プログラム終了ユニットは、さらに、前記既に開始された各アプリケーションの優先度に従って既定の優先度より低い優先度を有する前記少なくとも１つの対象アプリケーションを決定し、前記少なくとも１つの対象アプリケーションを終了させるように構成されている装置。
【請求項１１】
コンピュータ上で実行されたときに請求項１乃至５いずれか１項記載の前記省エネルギーモードを開始するための方法をコンピュータに実行させるためのコンピュータ・プログラム。
【請求項１２】
請求項１１に記載のコンピュータ・プログラムが記憶されたコンピュータ可読記憶媒体。
【発明の詳細な説明】
【技術分野】
【０００１】
本出願は、２０１５年８月１８日に中国知識産権局に出願された、中国特許出願第ＣＮ２０１５１０５０７４８１．Ｘ号に基づき、それに対する優先権を主張する。なおこの文献の全ての内容は、参照することにより本明細書中に組み込まれる。
【０００２】
本開示は、一般に電子装置分野、より具体的には、省エネルギーモードを開始するための方法及び装置に関するものである。
【背景技術】
【０００３】
電子装置の知的発展に伴い、パネルコンピュータ、スマートフォンのようなスマートデバイスが急速に一般に普及し、ユーザの要求もますます高くなり、スマートデバイスの性能により厳しい要求が望まれている。ユーザの要求を満たすため、スマートデバイスは、一般により高性能に構成されている。
【０００４】
例えば、アプリケーションの開始速度を向上させるため、スマートデバイスは、一度ユーザがアプリケーションのうちのいずれか１つを開きたいと思えば、スマートデバイスがそのアプリケーションのインターフェースを直接開くというように、あらかじめバックグラウンドで複数のアプリケーションを開始させてもよい。
【発明の概要】
【０００５】
関連技術に存在する問題を解決するために、本開示は、以下の技術的解決手段を含む、省エネルギーモードを開始するための方法及び装置を提供する。
【０００６】
本開示の実施形態の第１の態様によれば、
ゲートウエイ装置との通信パラメータを取得する工程であって、前記通信パラメータが通信品質パラメータと既定のアイドルタイムの少なくとも１つを含む工程と、
前記通信パラメータに従って現在の実行状態を決定する工程と、
前記現在の実行状態が休止状態であると決定された場合に省エネルギーモードを開始する工程と、
を備える、前記省エネルギーモードを開始するための方法が提供される。
【０００７】
他の実施形態において、前記通信パラメータに従って現在の実行状態を決定する工程は、
クロックにより示される現在の時点を取得する工程と、
前記現在の時点が前記既定のアイドルタイムに属するという決定に応じて前記現在の実行状態が前記休止状態であることを決定する工程と、
を含む。
【０００８】
他の実施形態において、前記方法は、さらに、
ユーザの操作挙動に従って生成される操作履歴記録内の少なくとも１つの操作時間を取得する工程と、
前記少なくとも１つの操作時間に従って前記既定のアイドルタイムを決定する工程と、
を備える。
【０００９】
他の実施形態において、前記省エネルギーモードを開始する工程は、
前記ゲートウエイ装置との通信頻度を削減する工程と、
既に開始された少なくとも１つの対象アプリケーションを終了させる工程と、
の少なくとも１つを含む。
【００１０】
他の実施形態において、既に開始された少なくとも１つの対象アプリケーションを終了させる工程は、
前記既に開始された各アプリケーションの優先度に従って既定の優先度より低い優先度を有する前記少なくとも１つの対象アプリケーションを決定する工程と、
前記少なくとも１つの対象アプリケーションを終了させる工程と、
を含む。
【００１１】
本開示の実施形態の第２の態様によれば、ゲートウエイ装置との通信パラメータを取得するように構成され、前記通信パラメータが通信品質パラメータと既定のアイドルタイムの少なくとも１つを含む取得モジュールと、前記取得モジュールにより取得された前記通信パラメータに従って現在の実行状態を決定するように構成されている状態決定モジュールと、前記状態決定モジュールが前記現在の実行状態は休止状態であると決定する場合、前記省エネルギーモードを開始するように構成されている開始モジュールとを備える、省エネルギーモードを開始するための装置が提供される。
【００１２】
他の実施形態において、前記状態決定モジュールは、さらに、クロックにより示される現在の時点を取得し、前記現在の時点が前記既定のアイドルタイムに属するという決定に応じて前記現在の実行状態が前記休止状態であることを決定するように構成されている。
【００１３】
他の実施形態において、前記装置は、さらに、
ユーザの操作挙動に従って生成される操作履歴記録内で少なくとも１つの操作時間を取得するように構成される操作時間取得モジュールと、
前記操作時間取得モジュールにより取得された前記少なくとも１つの操作時間に従って前記既定のアイドルタイムを決定するように構成されている期間決定モジュールと、
を備える。
【００１４】
他の実施形態において、前記開始モジュールは、
前記ゲートウエイ装置との通信頻度を削減するように構成されている頻度調整ユニットと、
既に開始された少なくとも１つの対象アプリケーションを終了させるように構成されているプログラム終了ユニットと、
の少なくとも１つを含む。
【００１５】
他の実施形態において、前記プログラム終了ユニットは、さらに、前記既に開始された各アプリケーションの優先度に従って既定の優先度より低い優先度を有する前記少なくとも１つの対象アプリケーションを決定し、前記少なくとも１つの対象アプリケーションを終了させるように構成されている。
【００１６】
本開示の実施形態の第３の態様によれば、
プロセッサと、
前記プロセッサにより実行可能な命令を格納するためのメモリと、
を備え、
前記プロセッサは、
ゲートウエイ装置との通信パラメータを取得し、前記通信パラメータが通信品質パラメータと既定のアイドルタイムの少なくとも１つを含み、
前記通信パラメータに従って現在の実行状態を決定し、
前記現在の実行状態が休止状態であると決定された場合、前記省エネルギーモードを開始するように構成されている、省エネルギーモードを開始するための装置が提供される。
【００１７】
本開示の実施形態において提供される前記解決手段は、以下の有益な効果を有してもよい。
【００１８】
本開示の実施形態により提供される前記方法及び前記装置では、前記ゲートウエイ装置との前記通信パラメータを取得することにより、前記通信パラメータに従って前記現在の実行状態が前記休止状態であると決定された場合に前記省エネルギーモードが開始される。このような方法で、スマートデバイスの性能に対するユーザの要求を満たす前提の下、前記スマートデバイスの電力消費を可能な限り削減される。
【００１９】
上述の一般的な説明と、以下に述べる詳細な説明は具体例であって、例示だけを目的としており、特許請求されている本発明の範囲の限定を意図するものではない。
【図面の簡単な説明】
【００２０】
添付の図面は、本明細書に組み込まれ、本明細書の一部を構成するものであり、発明と一致する実施形態を説明し、発明の詳細な説明と共に、発明の原理の説明の助けとなるものである。
【００２１】
【図１】例示の実施形態に係る、省エネルギーモードを開始するための方法を示すフローチャートである。
【図２】例示の実施形態に係る、省エネルギーモードを開始するための方法を示すフローチャートである。
【図３】例示の実施形態に係る、省エネルギーモードを開始するための装置のブロック図である。
【図４】例示の実施形態に係る、省エネルギーモードを開始するための装置のブロック図である。
【図５】例示の実施形態に係る、省エネルギーモードを開始するための装置のブロック図である。
【図６】例示の実施形態に係る、省エネルギーモードを開始するための装置のブロック図である。
【発明を実施するための形態】
【００２２】
本開示の目的、技術的解決手段及び利点をより明確にするため、本開示は、実施形態及び図面を参照して詳細になされる。本開示の説明のための実施形態及びそれに関する説明は、一般に本開示を理解するために利用されるものであり、本開示を限定するものと解釈してはならない。
【００２３】
本開示の実施形態は、省エネルギーモードを開始するための方法及び装置を提供する。
【００２４】
図１は、例示の実施形態に係る、省エネルギーモードを開始するための方法を示すフローチャートである。図１を参照すると、省エネルギーモードを開始するための方法は、スマートデバイスにおいて利用され、以下のステップを含む。
【００２５】
ステップ１０１では、ゲートウエイ装置との通信パラメータが取得される。通信パラメータには、通信品質パラメータと既定のアイドルタイムの少なくとも１つが含まれる。
【００２６】
ステップ１０２では、現在の実行状態は、通信パラメータに従って決定される。
【００２７】
ステップ１０３では、省エネルギーモードは、現在の実行状態が休止状態であると決定された場合に開始される。
【００２８】
本開示の実施形態により提供される方法によれば、ゲートウエイ装置との通信パラメータを取得することにより、通信パラメータに従って現在の実行状態が休止状態であると決定された場合に省エネルギーモードが開始される。このような方法で、スマートデバイスの性能に対するユーザの要求を満たす前提の下、スマートデバイスの電力消費が可能な限り削減される。
【００２９】
他の実施形態において、通信パラメータに従って現在の実行状態を決定する工程は、
クロックにより示される現在の時点を取得する工程と、
現在の時点が既定のアイドルタイムに属するという決定に応じて現在の実行状態が休止状態であることを決定する工程と、
を含む。
【００３０】
他の実施形態において、方法は、さらに、
ユーザの操作挙動に従って生成される操作履歴記録内の少なくとも１つの操作時間を取得することと、
少なくとも１つの操作時間に従って既定のアイドルタイムを決定する工程と、
を備える。
【００３１】
他の実施形態において、省エネルギーモードを開始する工程は、
ゲートウエイ装置との通信頻度を削減する工程と、
既に開始された少なくとも１つの対象アプリケーションを終了させる工程と、
の少なくとも１つを含む。
【００３２】
他の実施形態において、既に開始された少なくとも１つの対象アプリケーションを終了させる工程は、
既に開始された各アプリケーションの優先度に従って既定の優先度より低い優先度を有する少なくとも１つの対象アプリケーションを決定する工程と、
少なくとも１つの対象アプリケーションを終了させる工程と、
を含む。
【００３３】
本開示の代替の実施形態は、上述の代替となる技術的解決手段を任意の方法で組み合わせることにより構成されてもよく、本明細書中では詳細に述べない。
【００３４】
図２は、例示の実施形態に係る、省エネルギーモードを開始するための方法を示すフローチャートである。図２に示されるように、省エネルギーモードを開始するための方法は、スマートデバイスにおいて利用され、以下のステップを備える。
【００３５】
ステップ２０１では、スマートデバイスは、クロックにより示される現在の時点と既定のアイドルタイムとを取得する。
【００３６】
本実施形態では、スマートデバイスは、スマートフォン、スマート・エア・コンディショナ、スマートソケット、スマートブレスレットなどでもよく、本実施形態では限定されない。スマートデバイスは、ゲートウエイ装置に接続されてもよく、その結果ネットワークに接続される。ゲートウエイ装置は、ルータや無線ホットスポットなどでもよい。スマートデバイスには、無線通信機能を有する通信モジュールが提供されてもよく、通信モジュールを介してゲートウエイ装置に接続される。通信モジュールは、ＷｉＦｉ（ワイヤレスフィデリティ）通信モジュール、Ｂｌｕｅｔｏｏｔｈ（登録商標）通信モジュールなどでもよく、本実施形態では限定されない。
【００３７】
実際の適用では、スマートデバイスの性能が高くなればなるほど、その電力消費も大きくなる。スマートデバイスの電力消費が大き過ぎる場合、過度の高温及び耐久能力の低下が引き起こされる可能性があり、さらにスマートデバイスの通常実行に影響を与えるかもしれない。スマートデバイスの電力消費を削減するため、スマートデバイスは、省エネルギーモードを開始し、省エネルギーモードで動作してもよい。省エネルギーモードにおいては、しかしながら、スマートデバイスの性能は低下する。性能に対するユーザの要求を満たすことは難しく、ユーザエクスペリエンスを低下させる。
【００３８】
性能に対するユーザの要求を満たす前提の下、スマートデバイスの電力消費を可能な限り削減するため、スマートデバイスは、ゲートウエイ装置との通信パラメータを取得し、通信パラメータに従って現在の実行状態を決定し、現在の実行状態に従って省エネルギーモードを開始するかどうかを決定してもよい。
【００３９】
通信パラメータは、通信品質パラメータと既定のアイドルタイムの少なくとも１つを含んでもよい。スマートデバイスは、既定のアイドルタイムに従って現在の実行状態を決定してもよい。
【００４０】
既定のアイドルタイムは、スマートデバイスが休止状態である期間を表す。つまり、現在の時点が既定のアイドルタイム内である場合、それは、スマートデバイスが過度に多い動作を実行すること無く、休止状態にあることを意味する。また、既定のアイドルタイムは、スマートデバイスによりあらかじめ決定されても、アプリケーション処理の間に更新されてもよい。
【００４１】
例えば、スマートデバイスは、スマートデバイスに対するユーザの操作挙動に従って操作履歴記録を生成してもよいし、操作履歴記録に従って既定のアイドルタイムを決定してもよい。
【００４２】
スマートデバイスが、ユーザがスマートデバイスに対する操作挙動を実行したことを検知すると、操作挙動の操作時間及び操作タイプなどの情報が取得され、既に生成されている操作履歴記録に追加される。操作履歴記録には、操作挙動の少なくとも１つの操作時間が含まれる。スマートデバイスは、操作履歴記録から少なくとも１つの操作時間を取得し、少なくとも１つの操作時間に対して統計値を取り、ユーザにより引き起こされるユーザトリガ操作挙動が少ない期間を既定のアイドルタイムとして決定してもよい。
【００４３】
スマートデバイスは、予め複数の期間を設定し、操作履歴記録内の少なくとも１つの操作時間に従って各操作時間がどの期間に属すのかを決定してもよい。このようにして、各期間におけるユーザの操作回数がカウントされ、操作回数が最小の期間が、既定のアイドルタイムとして利用される。または、多いものから少ないものまで操作回数の順番に従って、既定の回数の期間が、既定のアイドルタイムとして複数の期間から選択される。
【００４４】
例えば、ユーザの操作時間に対する統計値を取ることにより、スマートデバイスは、ユーザが午後１１時から午前６時に最も操作挙動を引き起こさないと決定すると、午後１１時から午前６時の期間が既定のアイドルタイムとして設定されてもよい。
【００４５】
ステップ２０２では、スマートデバイスは、現在の時点が既定のアイドルタイムに属しているかどうか決定し、イエスの場合、ステップ２０４が実行され、ノーの場合、ステップ２０３が実行される。
【００４６】
本実施形態では、スマートデバイスの現在の実行状態を決定するため、スマートデバイスは、クロックにより示される現在の時点を取得し、現在の時点が既定のアイドルタイムに属しているかどうか決定してもよい。現在の時点が既定のアイドルタイムに属している場合、それは、スマートデバイスが現在休止状態にあることを意味し、ステップ２０４が実行される。そして、現在の時点が既定のアイドルタイムに属さない場合、それは、スマートデバイスが現在休止状態でないかもしれないことを意味し、ステップ２０３が実行される。
【００４７】
ステップ２０３では、スマートデバイスは、ゲートウエイ装置との通信品質パラメータを取得し、通信品質パラメータが既定の閾値未満かどうか判定し、イエスの場合、ステップ２０４が実行され、ノーの場合、終了する。
【００４８】
実際の適用では、スマートデバイスは、また、スマートデバイスとゲートウエイ装置の間の通信品質パラメータを取得してもよい。通信品質パラメータは、スマートデバイスとゲートウエイ装置の間の通信の質を表す。スマートデバイスとゲートウエイ装置の間の通信の質が悪い場合、スマートデバイスが現在休止状態にあり、現時点ではゲートウエイ装置と頻繁に通信を行う必要がないと考えてもよい。
【００４９】
通信品質パラメータは、スマートデバイスとゲートウエイ装置の間の信号強度でもよい。スマートデバイスは、ゲートウエイ装置との信号強度を周期的に検知し、信号強度が既定の閾値未満かどうか判定してもよい。信号強度が既定の閾値未満の場合、それは、スマートデバイスとゲートウエイ装置の間の通信の質が悪いことを意味し、スマートデバイスが現在休止状態であると決定してもよい。信号強度が既定の閾値以上の場合、それは、スマートデバイスとゲートウエイ装置の間の通信の質が良いことを意味し、スマートデバイスが現在休止状態ではないと決定してもよい。
【００５０】
なお、本実施形態のステップ２０２において、現在の実行状態は、既定のアイドルタイムに従って決定され、現在の時点が既定のアイドルタイムに属している場合、スマートデバイスは休止状態にあると決定され、現在の時点が既定のアイドルタイムに属していない場合、ステップ２０３が実行される。つまり、現在の実行状態がスマートデバイスとゲートウエイ装置の間の通信品質パラメータに従って決定されるということに注意する必要がある。実際の適用では、スマートデバイスは、また、ステップ２０２及びステップ２０３をそれぞれ実行してもよい。つまり、スマートデバイスの現在の実行状態は、既定のアイドルタイムと通信品質パラメータのいずれか１つ、または両方に従って決定される。あるいは、スマートデバイスは、ステップ２０３だけを実行してもよい。つまり、現在の実行状態は、通信品質パラメータに従って決定される。これらは本実施形態では限定されない。
【００５１】
ステップ２０４では、省エネルギーモードは、スマートデバイスが現在の実行状態が休止状態であると決定した場合に開始される。
【００５２】
現在の時点が既定のアイドルタイムに属しているという決定に応じて、または通信品質パラメータが既定の閾値未満であるという決定に応じて、スマートデバイスが現在休止状態にあることが決定される。スマートデバイスが現在休止状態にある場合、それは、スマートデバイスが実行するように要求される動作がより少なく、省エネルギーモードが開始されても、性能に対するユーザの要求を満たせるかもしれないことを意味している。このように、電力消費を削減するため、スマートデバイスは、省エネルギーモードを開始してもよい。
【００５３】
ステップ２０４には、以下のステップ（１）及び（２）の少なくとも１つを含めてもよい。
【００５４】
（１）スマートデバイスは、ゲートウエイ装置との通信頻度を削減する。
【００５５】
スマートデバイスは、本来の通信頻度と削減された通信頻度の間の差が既定の通信頻度間隔に等しくなるように、既定の通信頻度間隔に従ってゲートウエイ装置との通信頻度を削減してもよい。あるいは、スマートデバイスは、削減された通信頻度が既定の通信頻度に等しくなるように、既定の通信頻度に従ってゲートウエイ装置との通信頻度を削減してもよい。
【００５６】
既定の通信頻度間隔及び既定の通信頻度は、一般的な電力消費の下、通信頻度に従ってあらかじめスマートデバイスにより決定されてもよく、本実施形態では限定されない。
【００５７】
（２）スマートデバイスは、既に開始された少なくとも１つの対象アプリケーションを終了させる。
【００５８】
実際の適用では、スマートデバイスは、少なくとも１つのアプリケーションを実行してもよく、少なくとも１つのアプリケーションには、アプリケーション・ソフトウェア・プログラム、システムプロセス、またはシステムスレッドなどを含めてもよく、本実施形態では限定されない。
【００５９】
スマートデバイスは、アプリケーションごとの優先度を設定してもよい。省エネルギーモードを開始する際、スマートデバイスは、既に開始された各アプリケーションの優先度に従って既定の優先度より低い優先度を有する少なくとも１つの対象アプリケーションを決定してもよい。スマートデバイスは、少なくとも１つの対象アプリケーションを実行する必要がないと考えてもよく、少なくとも１つの対象アプリケーションを、スマートデバイスの電力消費を削減するため終了してもよい。既定の優先度は、各優先度の下、アプリケーションの数に従ってスマートデバイスにより決定されてもよく、本実施形態では限定されない。
【００６０】
例えば、現在開始されている５つのアプリケーションの優先度は、以下の表１に示される。既定の優先度が３の場合、アプリケーションＥの優先度４は、既定の優先度３より低いと決定され、従って、アプリケーションＥは終了させるべきである。
【００６１】
【表１】
0006355735.tif 000002
【００６２】
さらに、上述のステップ（１）及び（２）に加え、スマートデバイスは、また、セントラルプロセッサの通信頻度を削減、または表示画面の明度を削減するなど、省エネルギーモードにおいて実行する他の方法を用いてもよく、これは本実施形態では限定されない。
【００６３】
続いて起こるプロセスにおいて、スマートデバイスは、現在の期間が既定のアイドルタイムに属しているかどうか判定、またはスマートデバイスとゲートウエイ装置の間の通信品質パラメータが既定の閾値未満かどうか判定することを継続し、それにより現在の実行状態を決定してもよい。スマートデバイスが現在休止状態にあると決定された場合、スマートデバイスは、省エネルギーモードで動作し続け、スマートデバイスが現在休止状態ではないと決定された場合、省エネルギーモードはシャットダウンされ、通常モードで動作する。
【００６４】
本開示の実施形態により提供される方法によれば、スマートデバイスとゲートウエイ装置の間の通信品質パラメータと、既定のアイドルタイムとの少なくとも１つに従ってスマートデバイスが現在休止状態にあると決定された場合、省エネルギーモードを開始することにより、スマートデバイスの電力消費は、スマートデバイスの性能に対するユーザの要求を満たす前提の下、可能な限り削減される。
【００６５】
図３は、例示の実施形態に係る、省エネルギーモードを開始するための装置のブロック図である。図３を参照すると、装置には、取得モジュール３０１、状態決定モジュール３０２、及び開始モジュール３０３が含まれる。
【００６６】
取得モジュール３０１は、ゲートウエイ装置との通信パラメータを取得するように構成されている。通信パラメータには、通信品質パラメータと既定のアイドルタイムの少なくとも１つが含まれる。
【００６７】
状態決定モジュール３０２は、取得モジュールにより取得された通信パラメータに従って現在の実行状態を決定するように構成されている。
【００６８】
開始モジュール３０３は、状態決定モジュールが現在の実行状態が休止状態であると決定した場合、省エネルギーモードを開始するように構成されている。
【００６９】
実施形態により提供される装置によれば、ゲートウエイ装置との通信パラメータを取得することにより、現在の実行状態が通信パラメータに従って休止状態であると決定された場合、省エネルギーモードが開始される。このような方法で、スマートデバイスの性能に対するユーザの要求を満たす前提の下、スマートデバイスの電力消費は、可能な限り削減される。
【００７０】
他の実施形態において、状態決定モジュール３０２は、さらに、クロックにより示される現在の時点を取得し、現在の時点が既定のアイドルタイムに属しているという決定に応じて現在の実行状態が休止状態であると決定するように構成されている。
【００７１】
図４を参照すると、他の実施形態において、装置は、さらに、
操作履歴記録内で少なくとも１つの操作時間を取得するように構成され、操作履歴記録は、ユーザの操作挙動に従って生成される操作時間取得モジュール３０４と、
少なくとも１つの操作時間に従って既定のアイドルタイムを決定するように構成されている期間決定モジュール３０５と、
を備える。
【００７２】
図５を参照すると、他の実施形態において、開始モジュール３０３は、
ゲートウエイ装置との通信頻度を削減するように構成されている頻度調整ユニット３０３１と、
既に開始された少なくとも１つの対象アプリケーションを終了させるように構成されているプログラム終了ユニット３０３２と、
の少なくとも１つを含む。
【００７３】
他の実施形態において、プログラム終了ユニット３０３２は、さらに、既に開始された各アプリケーションの優先度に従って既定の優先度より低い優先度を有する少なくとも１つの対象アプリケーションを決定し、少なくとも１つの対象アプリケーションを終了させるように構成されている。
【００７４】
本開示の代替の実施形態は、上述の代替となる技術的解決手段を任意の方法で組み合わせることにより構成されてもよく、本明細書中では詳細に述べない。
【００７５】
上述の実施形態における装置に関し、その中の個々のモジュールに対する操作を実行するための具体的な方法は、方法に関する実施形態において詳細に記載されているため、ここでは詳細を述べない。
【００７６】
なお、上述の実施形態により提供される省エネルギーモードを開始するための装置は、省エネルギーモードを開始し、上述の各機能モジュールの部分で説明されていることに注意する必要がある。実際の適用において、上述の機能配分は、要求に従った異なる機能モジュールにより完成されてもよい。つまり、スマートデバイスの内部構造は、異なる機能モジュールに分けられて、上述の機能の全てまたは一部を完成させる。さらに、上述の実施形態により提供される省エネルギーモードを開始するための装置、及び省エネルギーモードを開始するための方法の実施形態は、同一の技術的構想に属し、従って、具体的な実行は、方法の実施形態を参照してもよく、ここでは詳細を述べない。
【００７７】
図６は、例示の実施形態に係る、省エネルギーモードを開始するための装置６００のブロック図である。例えば、装置６００は、携帯電話、コンピュータ、デジタル放送端末、メッセージング装置、ゲーム機、タブレット、医療機器、運動器具、携帯情報端末、などでもよい。
【００７８】
図６を参照すると、装置６００は、１以上の以下の構成要素を含んでもよい。処理要素６０２、メモリ６０４、電力要素６０６、マルチメディア要素６０８、音声要素６１０、入出力（Ｉ／Ｏ）インターフェース６１２、センサ要素６１４、及び通信要素６１６。
【００７９】
処理要素６０２は、一般的に、表示に関連する操作、電話、データ通信、カメラ操作、及び記録操作など、装置６００の全体操作を制御する。処理要素６０２には、１以上のプロセッサ６２０が含まれ、上述した方法におけるステップの全てまたは一部を実行する命令を実行してもよい。さらに、処理要素６０２には、処理要素６０２と他の構成要素の間の相互作用を促進する１以上のモジュールを含めてもよい。例えば、処理要素６０２には、マルチメディアモジュールを含め、マルチメディア要素６０８及び処理要素６０２間の相互作用を促進してもよい。
【００８０】
メモリ６０４は、各種データを格納し、装置６００の操作をサポートするように構成されている。このようなデータの例には、装置６００、連絡先データ、電話帳データ、メッセージ、画像、映像、などにおいて操作される任意のアプリケーションまたは方法に対する命令が含まれる。メモリ６０４は、スタティック・ランダム・アクセス・メモリ（ＳＲＡＭ）、電気的消去可能プログラマブル読出し専用メモリ（ＥＥＰＲＯＭ）、消去可能プログラマブル読出し専用メモリ（ＥＰＲＯＭ）、プログラマブル読出し専用メモリ（ＰＲＯＭ）、読出し専用メモリ（ＲＯＭ）、磁気メモリ、フラッシュメモリ、磁気または光ディスクなど、任意のタイプの揮発性または非揮発性メモリ装置またはそれらの組合せを使用して実装されてもよい。
【００８１】
電力要素６０６は、装置６００の各種構成要素に電力を供給する。電力要素６０６には、装置６００における電力の生成、管理、及び配分に関連付けられている、電力管理システム、１以上の電源及び任意の他の構成要素を含めてもよい。
【００８２】
マルチメディア要素６０８には、装置６００とユーザの間の出力インターフェースを提供する画面が含まれる。実施形態によっては、画面には、液晶ディスプレイ（ＬＣＤ）及びタッチパネル（ＴＰ）を含めてもよい。画面にタッチパネルが含まれる場合、画面は、タッチスクリーンとして実装され、ユーザからの入力信号を受信してもよい。タッチパネルには、１以上のタッチセンサが含まれ、タッチパネルにおけるタッチ、スワイプ及びジェスチャーを検知する。タッチセンサは、タッチまたはスワイプ動作の境界を検知するだけでなく、タッチまたはスワイプ動作に関連付けられている期間及び圧力を検知してもよい。実施形態によっては、マルチメディア要素６０８には、フロントカメラ及び／またはリアカメラが含まれる。フロントカメラ及びリアカメラは、装置６００が撮影モードまたは映像モードなどの操作モードの間、外部のマルチメディアデータを受信してもよい。フロントカメラ及びリアカメラは、それぞれ固定光学レンズシステムであってもよいし、フォーカス及び光学ズーム機能を有してもよい。
【００８３】
音声要素６１０は、音声信号を出力及び／または入力するように構成されている。たとえば、音声要素６１０には、装置６００が通話モード、記録モード、及び音声認識モードなどの操作モードにおいて、外部の音声信号を受信するように構成されているマイクロホン（「ＭＩＣ」）が含まれる。受信された音声信号は、さらに、メモリ６０４に格納されてもよいし、通信要素６１６を介して転送されてもよい。実施形態によっては、音声要素６１０には、さらに、スピーカが含まれ、音声信号を出力する。
【００８４】
Ｉ／Ｏインターフェース６１２は、処理要素６０２と、キーボード、クリックホイール、ボタンなどの周辺インターフェースモジュールとの間のインターフェースを提供する。ボタンには、ホームボタン、音量ボタン、開始ボタン、及びロッキングボタンを含めてもよいが、これに限定されるものではない。
【００８５】
センサ要素６１４には、１以上のセンサが含まれ、装置６００の各種態様の状態評価を提供する。たとえば、センサ要素６１４は、装置６００の開閉状態と、ディスプレイ及びキーパッドなど装置６００の構成要素の相対的な位置と、装置６００または装置６００の構成要素の位置変更と、装置６００へのユーザの接触有無と、装置６００の方向または加速／減速、及び装置６００の温度変更とを検知してもよい。センサ要素６１４には、何らの物理的接触なしで周囲の対象の存在を検知するように構成されている近接センサを含めてもよい。センサ要素６１４には、また、撮像アプリケーションにおいて使用するＣＭＯＳまたはＣＣＤイメージセンサなどの光センサを含めてもよい。実施形態によっては、センサ要素６１４には、また、加速度計センサ、ジャイロスコープセンサ、磁気センサ、圧力センサ、または温度センサを含めてもよい。
【００８６】
通信要素６１６は、装置６００と他の装置の間の有線または無線の通信を促進するように構成されている。装置６００は、ＷｉＦｉ、２Ｇ、３Ｇ、またはそれらの組合せなどの通信規格に基づいて無線ネットワークにアクセスできる。実施形態の一例において、通信要素６１６は、放送チャネルを介して外部放送管理システムから放送信号または放送関連の情報を受信する。実施形態の一例において、通信要素６１６には、さらに、近距離無線通信（ＮＦＣ）モジュールが含まれ、近距離通信を促進する。たとえば、ＮＦＣモジュールは、無線自動識別（ＲＦＩＤ）技術、赤外線通信協会（ＩｒＤＡ）技術、超広帯域（ＵＷＢ）技術、Ｂｌｕｅｔｏｏｔｈ（登録商標）（ＢＴ）技術、及び他の技術に基づき実装されてもよい。
【００８７】
例示の実施形態において、装置６００は、上述の方法を実行するため、１以上の特定用途向け集積回路（ＡＳＩＣ）、デジタル・シグナル・プロセッサ（ＤＳＰ）、デジタル信号処理装置（ＤＳＰＤ）、プログラマブル論理回路（ＰＬＤ）、フィールド・プログラマブル・ゲート・アレイ（ＦＰＧＡ）、コントローラ、マイクロコントローラ、マイクロプロセッサ、または他の電子構成要素で実装されてもよい。
【００８８】
例示の実施形態においては、また、上述の方法を実行するため、命令を含むメモリ６０４のような、命令を含む非一時的コンピュータ読み込み可能な記憶媒体が提供され、命令は、装置６００内のプロセッサ６２０により実行可能としてもよい。たとえば、非一時的コンピュータ読み込み可能な記憶媒体は、ＲＯＭ、ＲＡＭ、ＣＤ−ＲＯＭ、磁気テープ、フロッピーディスク、光学データ記憶装置、などでもよい。
【００８９】
非一時的コンピュータ読み込み可能な記憶媒体は、その中に命令を格納し、スマートデバイスのプロセッサにより実行される場合、スマートデバイスに省エネルギーモードを開始するための方法を実行させる。前記方法には、
ゲートウエイ装置との通信パラメータを取得する工程であって、通信パラメータは、通信品質パラメータと既定のアイドルタイムの少なくとも１つを含む工程と、
通信パラメータに従って現在の実行状態を決定する工程と、
現在の実行状態が休止状態であると決定された場合に省エネルギーモードを開始する工程と、を備える。
【００９０】
他の実施形態において、通信パラメータに従って現在の実行状態を決定する工程は、
クロックにより示される現在の時点を取得する工程と、
現在の時点が既定のアイドルタイムに属するという決定に応じて現在の実行状態が休止状態であることを決定する工程と、
を備える。
【００９１】
他の実施形態において、前記方法は、さらに、
ユーザの操作挙動に従って生成される操作履歴記録内の少なくとも１つの操作時間を取得する工程と、
少なくとも１つの操作時間に従って既定のアイドルタイムを決定する工程と、
を備える。
【００９２】
他の実施形態において、省エネルギーモードを開始する工程は、
ゲートウエイ装置との通信頻度を削減する工程と、
既に開始された少なくとも１つの対象アプリケーションを終了させる工程と、
の少なくとも１つを含む。
【００９３】
他の実施形態において、既に開始された少なくとも１つの対象アプリケーションを終了させる工程は、
既に開始された各アプリケーションの優先度に従って既定の優先度より低い優先度を有する少なくとも１つの対象アプリケーションを決定する工程と、
少なくとも１つの対象アプリケーションを終了させる工程と、
を含む。
【００９４】
本発明の他の実施形態も、本明細書で開示されている発明の仕様及び実施を考慮すれば、当業者にとって明らかであろう。本出願は、発明の任意の変更、使用、または適合化を含むことを意図したものであり、当該技術分野における既知又は慣用の方法によって本開示から発展したものも含んでいる。仕様及び例は、例示としてのみ考慮され、発明の真の適用範囲及び主旨は、以下の請求項により示されることが意図されている。
【００９５】
本発明は、上述され、添付図面において説明された正確な構成に限定されるものではなく、様々な変形例及び変更がここでの適用範囲から逸脱しない限り可能であることが理解されるであろう。発明の適用範囲は、添付の請求項により制限されるのみであることが意図されている。
【図１】
0006355735.tif 000003
【図２】
0006355735.tif 000004
【図３】
0006355735.tif 000005
【図４】
0006355735.tif 000006
【図５】
0006355735.tif 000007
【図６】
0006355735.tif 000008